(57)【特許請求の範囲】
【請求項１】
患者の呼吸器系と連絡する連絡部と、
人工呼吸器からのガスを前記連絡部へ流す流路である吸気回路と、
前記連絡部から排気されるガスを前記人工呼吸器の排気管へ導く流路である呼気回路と、
前記排気管から前記連絡部側への流れを遮断する呼気弁と、
前記呼気弁より下流の回路であって、前記排気管における前記人工呼吸器の外部の排気口に設けられ、二酸化炭素濃度を検出する二酸化炭素濃度センサと、
前記二酸化炭素濃度センサの出力に基づきアラームを出力するアラーム出力手段と、
前記人工呼吸器へ電力を供給する第１の電源部と、
前記二酸化炭素濃度センサ及び前記アラーム出力手段へ電力を供給する専用の第２の電源部と
を具備することを特徴とする人工呼吸装置。
【請求項２】
前記アラーム出力手段は、前記人工呼吸装置の装置情報及び前記患者の生体情報の少なくとも一方を得て、得られた情報と前記二酸化炭素濃度センサの出力とに基づき装置状態と患者状態との少なくとも一方の状態が異常か否かを判定する状態判定手段を具備することを特徴とする請求項１に記載の人工呼吸装置。
【発明の詳細な説明】
【技術分野】
【０００１】
この発明は、二酸化炭素濃度センサを備えた人工呼吸装置に関するものである。
【背景技術】
【０００２】
従来、人工呼吸装置には人工呼吸器の誤作動や呼吸回路の異常による患者の無換気もしくは低換気状態を検出して警報を発生する機能が搭載されている。特に、終末呼気二酸化炭素濃度（End-tidal CO2:EtCO2 ）の監視は、患者が実際にガス交換を行っていることを確認できるため、有用とされている。
【０００３】
現状の人工呼吸装置に搭載されているEtCO2 測定機構或いは、人工呼吸装置とは別の患者監視装置におけるEtCO2 測定機構は、概ね図４に示される構成であった。
【０００４】
図４に示されている装置は従来の人工呼吸装置であり、次のように構成されていた。即ち、人工呼吸器８０は、一方向弁である吸気弁８２、感染防止フィルタ８６、加温加湿器８７、ウォータートラップ８８、及び呼吸回路８１を介して患者Ａの呼吸器系に接続され、また当該患者Ａの呼吸器系は、呼吸回路８１、ウォータートラップ８９、感染防止フィルタ９０、及び一方向弁である呼気弁８３を介して人工呼吸器８０の排気管９１に接続されており、人工呼吸器８０から吸気弁８２を介して患者に呼吸ガスを送出し、患者の呼気ガスを呼気弁８３、排気管９１を介して、排気口９１Ａから外部に排出している。
【０００５】
この人工呼吸装置においては、患者Ａの口元に近い位置に二酸化炭素濃度センサ８４が設けられており、患者ＡのEtCO2 を測定して患者Ａのガス交換の状況を監視している。この二酸化炭素濃度センサ８４を含む、患者Ａと人工呼吸器８０との間にある装置や器具、すなわち、感染防止フィルタ８６、９０、加温加湿器８７、ウォータートラップ８８、８９、及び呼吸回路８１は、交換や滅菌、或いは患者毎に取り換え可能とするために、容易に着脱できるような構成となっている（例えば、特許文献１の図１参照）。
【０００６】
また、人工呼吸器８０には当該人工呼吸器８０の各部に電力供給を行う電源部８５が備えられており、この電源部８５は二酸化炭素濃度センサ８４にも所要の電力供給を行っている。尚、手動や別途の圧力源等で作動させる簡易な人工呼吸器においては、電源部を備えていないものもある。
【０００７】
更に、サイドストリーム方式で炭酸ガス濃度を検出している人工呼吸装置として、呼気弁の上流の呼気回路の途中からサンプリングチューブを介して接続された炭酸ガス濃度検出器と、吸気回路に接続された流量計測器とから、炭酸ガス量を算出するようにした人工呼吸装置が知られている（特許文献２参照）。
【先行技術文献】
【特許文献】
【０００８】
【特許文献１】実公平６−２０５３５号公報
【特許文献２】特開２００２−１１１００号公報
【発明の概要】
【発明が解決しようとする課題】
【０００９】
図４或いは特許文献１に記載の装置は、上述のように、人工呼吸器８０と患者Ａとの間で容易に着脱できる部分が多く、それだけ接続部の外れる確率が上昇する。特に、吸気回路部分の接続外れは、患者に重大な影響を及ぼす可能性がある。したがって、各接続部の外れによる患者の換気不良、センサ外れによるアラームの誤作動及びこれに伴う患者の換気不良などを引き起こさないように、二酸化炭素濃度センサ８４などが確実に装着された状態であることを確認する必要があり、極めて煩わしいという問題がある。
【００１０】
また、呼吸ガスは加温加湿器８７により加湿されており、更に二酸化炭素濃度センサ８４が患者Ａの口元に近い位置に設置されているため、二酸化炭素濃度センサ８４付近の回路内は結露しやすく、結露すると二酸化炭素濃度センサ８４による二酸化炭素濃度の検出が正常に行われ難くなり、アラームなどの誤作動の原因になる。
【００１１】
更に、患者が自発呼吸をしていて、呼吸回路８１の呼気回路（例えば、感染防止フィルタ９０の接続部）が外れた場合及び呼吸回路８１の吸気回路（例えば、感染防止フィルタ８６の接続部）が外れた場合、患者に呼吸ガスが送られなくなるが、二酸化炭素濃度センサ８４は患者の自発呼吸による二酸化炭素を検出するために、上記二酸化炭素濃度センサ８４では上記の外れは検出できない。また、患者が自発呼吸をしていない場合は、吸気回路が外れたら呼吸ガスを供給できなくなるため、二酸化炭素濃度センサ８４の検出値が異常となって、異常状態であることが検出できるが、呼気回路が外れたら、外れた箇所によっては、外れが検出できない場合もあり得る。すなわち、外れた箇所が呼気弁８３に近い箇所であれば、呼気回路の管路抵抗が大きく、それにより患者へ呼吸ガスが送られて、二酸化炭素濃度センサ８４により二酸化炭素が検出されるため、外れが検出できない可能性がある。
【００１２】
尚、本明細書において「外れが検出できる」とは、外れたときに二酸化炭素濃度センサにより検出される二酸化炭素濃度が正常ではない状態になることを表し、必ずしも外れた箇所が特定できるわけではない。また「外れが検出できない」とは、二酸化炭素濃度センサにより検出される二酸化炭素濃度が異常にならないことを表す。
【００１３】
更にまた、図４に記載の装置は、１個の電源部８５から人工呼吸器８０と二酸化炭素濃度センサ８４とに電力を供給しているため、電源部８５が機能しなくなると、人工呼吸器８０が動作しなくなると同時に二酸化炭素濃度センサ８４も働かなくなり、その結果アラームが発生せず、異常を知ることができない。上記電源部を備えていない簡易な人工呼吸器においては、通常二酸化炭素濃度を監視する機能は備えられていない。
【００１４】
特許文献２に記載の上記装置は、炭酸ガス濃度検出器が呼気回路側に接続されているが、呼気ガスのサンプリングチューブが呼気弁の上流側に接続されており、サンプリングチューブや炭酸ガス濃度検出器を、交換や滅菌、或いは患者毎に取り換え可能とするために、容易に着脱できるような構成とする必要がある。そのため、これもまた各接続部の外れによる患者の換気不良、センサ外れによるアラームの誤作動及びこれに伴う患者の換気不良などを引き起こさないように、炭酸ガス濃度検出器などが確実に装着された状態であることを確認する必要があり、極めて煩わしいという問題を有する。
【００１５】
本発明は上記のような人工呼吸装置の現状に鑑みてなされたもので、その目的は、容易に着脱可能な部分の数を減らして接続部の点検に掛かる時間を減少させ、更に接続部の外れる確率を減少させて安全性を高めた人工呼吸装置を提供することである。
【００１６】
また、本発明の目的は、二酸化炭素濃度センサに対する結露の影響を低減した人工呼吸装置を提供することである。
【００１７】
更に、本発明の目的は、自発呼吸がない場合のみならず、自発呼吸がある場合においても、呼吸回路の外れを検出できるようにし、更には、その外れた箇所も特定できるようにした人工呼吸装置を提供することである。
【００１８】
更にまた、本発明の目的は、何らかの原因によって人工呼吸器に対する電力供給がなされなくなっても、或いは電源部や二酸化炭素濃度センサを備えていない人工呼吸器においても、二酸化炭素濃度センサが動作し、所要の場合にアラームが発生して、異常を知ることが可能な人工呼吸装置を提供することである。これに加えて、呼吸回路を含む装置の状態や患者の状態を、詳細に分析可能とする人工呼吸装置を提供することを目的とする。
【課題を解決するための手段】
【００１９】
本発明に係る人工呼吸装置は、患者の呼吸器系と連絡する連絡部と、人工呼吸器からのガスを前記連絡部へ流す流路である吸気回路と、前記連絡部から排気されるガスを前記人工呼吸器の排気管へ導く流路である呼気回路と、前記排気管から前記連絡部側への流れを遮断する呼気弁と、前記呼気弁より下流の回路であって、前記排気管における前記人工呼吸器の外部の排気口に設けられ、二酸化炭素濃度を検出する二酸化炭素濃度センサと、前記二酸化炭素濃度センサの出力に基づきアラームを出力するアラーム出力手段と、前記人工呼吸器へ電力を供給する第１の電源部と、前記二酸化炭素濃度センサ及び前記アラーム出力手段へ電力を供給する専用の第２の電源部とを具備することを特徴とする。
【００２２】
本発明に係る人工呼吸装置では、前記アラーム出力手段は、前記人工呼吸装置の装置情報及び前記患者の生体情報の少なくとも一方を得て、得られた情報と前記二酸化炭素濃度センサの出力とに基づき装置状態と患者状態との少なくとも一方の状態が異常か否かを判定する状態判定手段を具備することを特徴とする。
【発明の効果】
【００２３】
本発明によれば、二酸化炭素濃度を検出する二酸化炭素濃度センサが呼気弁より下流の回路に設けられているので、万が一、二酸化炭素濃度センサが汚染されたとしても、呼気弁により患者側への汚染は阻止されるため、二酸化炭素濃度センサの滅菌、交換の頻度は著しく減少する。これにより、二酸化炭素濃度センサを堅固に取り付けることが可能となって、二酸化炭素濃度センサの取り付け状態を確認する作業は不要となり、人工呼吸器と患者との間の接続部の点検作業が軽減されるのみならず、接続部の外れる確率を減少させて安全性を高めることができる。
【００２４】
本発明によれば、二酸化炭素濃度センサが呼気弁より下流の回路に設けられているので、水分発生源（加熱加湿器、患者等）から遠く、結露することはほとんどない。したがって、正確な二酸化炭素濃度を検出することが可能となる。
【００２５】
本発明によれば、二酸化炭素濃度センサが呼気弁より下流の回路に設けられているので、患者が自発呼吸している状態で、二酸化炭素濃度センサの上流側の呼吸回路の呼気回路が外れた場合、患者の呼気が二酸化炭素濃度センサに正常に到達しなくなるため、当該呼気回路の外れを検出することができる。尚、患者が自発呼吸をしている状態で、吸気回路が外れた場合は、外れた箇所によってはその外れが検出できる場合もあり得る。すなわち、外れた箇所が吸気回路の下流側（患者に近い側）であれば、患者の呼気は当該外れた箇所から漏れて二酸化炭素濃度センサに到達しなくなるため、二酸化炭素濃度センサの検出値が異常となって、当該吸気回路の外れを検出することができる。患者が自発呼吸をしていない状態で、呼吸回路の呼気回路が外れた場合は、外れた箇所に関わりなく呼吸ガスが二酸化炭素濃度センサに到達しなくなるため、二酸化炭素濃度センサの検出値が異常となって、当該呼気回路の外れを検出でき、呼吸回路の吸気回路が外れた場合は、患者へ呼吸ガスが送られなくなって二酸化炭素濃度センサの検出値が異常となり、従来と同様に異常状態であることを検出することができる。
【００２６】
本発明によれば、二酸化炭素濃度センサ及びアラーム出力手段へ電力を供給する専用の電源部が備えられているので、何らかの原因によって人工呼吸器に対する電力供給がなされなくなっても、或いは、二酸化炭素濃度センサを備えていない人工呼吸器にあっては後付けすることにより、二酸化炭素濃度センサが動作し、所要の場合にアラームが発生して、異常を知ることが可能である。
【００２７】
本発明によれば、二酸化炭素濃度センサは、排気管の排気口に設けられているので、患者の自発呼吸の有無にかかわらず、二酸化炭素濃度センサの上流側の呼吸回路の呼気回路の外れを検出することができるため、ほぼすべての呼気回路の外れを検出することができる。また、スペース上の制約をあまり受けないため、二酸化炭素濃度センサを後付けでも比較的簡単に取り付けることができる。
【００２８】
本発明によれば、前記人工呼吸装置の装置情報及び前記患者の生体情報の少なくとも一方を得て、得られた情報と上記二酸化炭素濃度センサの出力とに基づき装置状態と患者状態との少なくとも一方を判定するので、装置状態と患者状態を得ることができ、より安定した装置の運用管理や患者監視を行うことが可能となる。
【図面の簡単な説明】
【００２９】
【図１】本発明に係る人工呼吸装置における第１の実施形態の構成を示すブロック図。
【図２】本発明に係る人工呼吸装置の要部構成を示すブロック図。
【図３】本発明に係る人工呼吸装置の要部構成を示すブロック図。
【図４】従来例に係る人工呼吸装置の構成を示すブロック図。
【図５】本発明に係る人工呼吸装置における第２の実施形態の構成を示すブロック図。
【図６】本発明に係る人工呼吸装置における第２の実施形態において得られる吸気回路の外れが生じた場合の二酸化炭素濃度波形及び気道内圧波形を示す図。
【図７】本発明に係る人工呼吸装置における第２の実施形態において得られる呼気回路の外れが生じた場合の二酸化炭素濃度波形及び気道内圧波形を示す図。
【図８】本発明に係る人工呼吸装置における第２の実施形態において得られるウォータートラップの緩みが生じた場合の二酸化炭素濃度波形及び本実施形態において得られる気道内圧波形を示す図。
【発明を実施するための形態】
【００３０】
以下、添付図面を参照して本発明に係る人工呼吸装置の実施例を説明する。各図において同一の構成要素には、同一の符号を付して重複する説明を省略する。図１には、第１の実施形態に係る人工呼吸装置の構成が示されている。人工呼吸装置は、人工呼吸用の所要酸素濃度を有するガスを所要圧にて送出する人工呼吸器１０を備える。
【００３１】
患者Ａの呼吸器系には、呼吸器系と連絡する連絡部１１が取り付けられる。連絡部１１は、マスク或いは気管挿管される導管等により構成される。人工呼吸器１０のガス出口１０Ａと連絡部１１との間は、人工呼吸器１０からのガスを連絡部１１へ流す流路である吸気回路１２によって接続されており、吸気回路１２には、ガス出口１０Ａに近接してバクテリア類を捕捉する感染防止フィルタ４０が設置され、適宜の箇所に人工呼吸用のガスを加湿する加温加湿器４１及び人工呼吸用のガスの余剰水分を捕捉するウォータートラップ４２が設置されている。
【００３２】
また、人工呼吸器１０のガス入口１０Ｂと連絡部１１との間は、連絡部１１から排気されるガスを人工呼吸器１０の排気管１７へ導く流路である呼気回路１３によって接続されており、呼気回路１３には、ガス入口１０Ｂに近接してバクテリア類を捕捉する感染防止フィルタ４３が設置され、適宜の箇所に排気ガスの水分を捕捉するウォータートラップ４４が設置されている。
【００３３】
上記人工呼吸器１０には、ガス出口１０Ａに近接して吸気側一方向弁１４が設けられている。吸気側一方向弁１４は、人工呼吸器１０から連絡部１１へ向かうガス流のみを許容し、連絡部１１側からの流れを遮断する機能を有する。
【００３４】
また、人工呼吸器１０には、ガス入口１０Ｂに近接して呼気側一方向弁１５が設けられている。呼気側一方向弁１５は、連絡部１１から人工呼吸器１０へ向かうガス流のみを許容し、連絡部１１側への流れを遮断する機能を有する。上記吸気側一方向弁１４及び上記呼気側一方向弁１５は、協働して人工呼吸器１０の患者Ａに対する人工呼吸動作に関与する。
【００３５】
呼気側一方向弁１５より下流の回路に二酸化炭素濃度センサ１６が設けられている。具体的には、呼気側一方向弁１５から大気へと通じる排気管１７における排気口１７Ａに近い位置に二酸化炭素濃度センサ１６が設けられる。この二酸化炭素濃度センサ１６の位置は、人工呼吸器１０の外部であっても内部であってもよい。
【００３６】
また、二酸化炭素濃度センサ１６は、排気管１７に堅固に固定して設けられており、回路外れの虞が全く無く構成されている。尚、二酸化炭素濃度センサ１６を、人工呼吸器１０の外部の排気口１７Ａに取り付けると、取り付けスペース上の制約をあまり受けないため、既存の人工呼吸装置に後付けすることも比較的簡単に可能となる。
【００３７】
人工呼吸器１０には電源部２１（第１の電源部）が設けられ、電源部２１は、外部電源（例えば、非常時バックアップされた電源）２０から電力供給を受けて所要の電圧へ変換して必要とする回路へ電力供給を行っている。また、人工呼吸装置はセンサ用の電源部（第２の電源部）２２を有しており、外部電源２０から電力供給を受けて所要の電圧へ変換して二酸化炭素濃度センサ１６へ電力供給している。
【００３８】
電源部２２は監視装置部３０に備えられており、監視装置部３０には、アラーム出力手段であるコントローラ３１、スピーカ３２及びＬＥＤなどの表示器３３を備えている。コントローラ３１、スピーカ３２及び表示器３３は、上記電源部２２から電力供給を受けて動作する。コントローラ３１、スピーカ３２及び表示器３３は、二酸化炭素濃度センサ１６の出力に基づきアラームを出力する。通常時に、コントローラ３１が二酸化炭素濃度センサ１６の出力に基づきEtCO2 を表示器３３に表示するように構成しても良い。
【００３９】
二酸化炭素濃度センサ１６を、図２に示されるように排気管１７に設け、信号線１７ａや電源線１７ｂによって監視装置部３０と接続されるメインストリーム方式とすることができる。
【００４０】
また、二酸化炭素濃度センサ１６を、図３に示されるように監視装置部３０に設け、排気管１７に結合した分岐管３８からサンプリングチューブ３９を介して呼気ガスを二酸化炭素濃度センサ１６へ導くようにしたサイドストリーム方式とすることができる。
【００４１】
尚、図２と図３において監視装置部３０を人工呼吸器１０の外部に設けているが、人工呼吸器１０の内部に設けるようにしても良い。
【００４２】
以上の通りに構成された人工呼吸装置では、電源オンの操作により人工呼吸器１０及び監視装置部３０における動作が開始され、人工呼吸器１０から患者Ａへのガス供給及び呼気ガスの呼気回路１３を介しての排出がなされる。また、このとき二酸化炭素濃度センサ１６による二酸化炭素濃度の検出及び表示器３３への表示がなされる。吸気回路１２や呼気回路１３において回路外れが生じると、回路の終端に備えられた二酸化炭素濃度センサ１６により検出する二酸化炭素濃度に大きな変化が生じ、例えばスピーカ３２及び表示器３３においてアラームが出力されるので、いずれの位置の回路外れであっても、これを容易に検出することができ安全性が高いものである。
【００４３】
二酸化炭素濃度センサ１６は、排気管１７に堅固に取り付けられているので、センサ外れが無く、安全性が高い。また、患者の呼気によって二酸化炭素濃度センサ１６やサンプリングチューブ３９を含む部品が汚染されたとしても、これらの部品は感染防止フィルタ４３や呼気側一方向弁１５の下流にあるため、汚染されたガス等が連絡部１１側へ流れることがなく、二酸化炭素濃度センサ１６やサンプリングチューブ３９を含む部品を交換や滅菌する必要がないメンテナンスフリーを実現でき、交換や滅菌の煩わしさから開放されると共にコスト低減を図ることができる。
【００４４】
更に、人工呼吸器１０の電源部２１とは別の電源部２２によって二酸化炭素濃度センサ１６へ電力供給して必要時にアラームを出力する構成であるため、人工呼吸器１０の電源部２１に異常が生じた場合にも二酸化炭素濃度センサ１６が動作しており、確実に異常を検出してスピーカ３２及び表示器３３からアラームを出力して異常を報知することができ、この点においても高い安全性が確保されている。
【００４５】
図５には、第２の実施形態に係る人工呼吸装置の構成が示されている。この人工呼吸装置においては、人工呼吸器１１０が制御部２５を備えている。この制御部２５は、患者Ａの生体情報と当該装置の装置情報とに基づいて、当該装置の作動を制御し、また、患者Ａや当該装置を監視して所要のパラメータを表示し、異常の場合にアラームを発するようにした、従来と同様なものである。ここに、生体情報とは、動脈血酸素飽和度、血圧、体温、呼吸数、気道内圧等の、生体に関する情報を指すが、図５には、気道内圧の情報を得るために、連絡部１１に設けられた圧力センサ２６のみが示されている。
【００４６】
また、当該装置の装置情報とは、人工呼吸器１１０の作動情報、呼吸回路内の圧力や温度の情報、電源部２１の出力電圧・電流等の情報、その他装置に関する全ての情報であり、使用時間等を含むものであるが、図５には、これらの装置情報は示されていない。
【００４７】
本実施形態においては、上記人工呼吸器１１０の制御部２５から監視装置部１３０のコントローラ１３１へ患者Ａの気道内圧の情報が与えられる。また、コントローラ１３１には、二酸化炭素濃度センサ１６から二酸化炭素濃度情報が与えられている。コントローラ１３１は、気道内圧情報と二酸化炭素濃度情報とに基づき、装置状態及び患者状態が正常であるか否かを判定する。そして、判定結果を表示手段である表示器３３に表示し、更に、判定結果が異常である場合は、スピーカ３２を用いてアラームを出力するように構成されている。
【００４８】
上記において、制御部２５は電源部２１から供給される電力により動作し、コントローラ１３１は電源部２２から供給される電力により動作する。この第２の実施形態に係る人工呼吸装置におけるその他の構成は、第１の実施形態の装置と変わらない。
【００４９】
以上の通りに構成された人工呼吸装置によって、次の通りに装置状態及び患者状態の監視を行う。二酸化炭素濃度センサ１６から送られる二酸化炭素濃度及び圧力センサ２６から送られる気道内圧が、患者Ａの呼吸動作（患者Ａが自発呼吸をしていない場合は人工呼吸器１１０の動作）に応じて規則正しく変化している場合は、コントローラ１３１は装置状態及び患者状態が正常であると判定して、その旨を表示器３３に表示する。二酸化炭素濃度及び／または気道内圧が、以下に詳細に示すような異常を示すと、コントローラ１３１は、異常状態を判定して、その旨を表示器３３に表示し、必要に応じてスピーカ３２からアラームを出力する。
【００５０】
次に、吸気回路１２及び呼気回路１３の外れが生じた場合の、二酸化炭素濃度及び気道内圧に基づいた外れ箇所の推定について説明する。以下の説明においては、上記の外れが単独で発生した場合について説明するが、上記以外の異常の発生や上記の外れを含む複数の異常が複合して生じた場合も、二酸化炭素濃度及び気道内圧が同じような傾向を示す場合もあり得るため、以下の「外れの検出」は、その箇所が外れている可能性もあるという推定である。
【００５１】
図６には、吸気回路１２の外れが生じた場合の、図７には、呼気回路１３の外れが生じた場合の、二酸化炭素濃度（ａ）及び気道内圧（ｂ）の波形がそれぞれ示されている。各グラフの横軸は経過時間を示している。この場合、二酸化炭素濃度は、図６（ａ）及び図７（ａ）にそれぞれ囲った円にて示すように、呼吸による矩形波が乱れて停止している。図６（ａ）及び図７（ａ）は、測定結果の一例を示しており、いつもこのような波形が生じるとは限らないが、いずれの場合も矩形波の乱れと停止が認められる。しかしながら、これらの波形のみでは、いずれの箇所において不具合が生じているかまでは特定できない。
【００５２】
これに対し、気道内圧は、吸気回路１２において外れが生じた場合に、図６（ｂ）に囲った円にて示すように矩形波が停止すると共にフラットな波形に遷移する。他方、呼気回路１３において外れが生じた場合には、図７（ｂ）に囲った円にて示すように矩形波の振幅（Ｐ−Ｐ値）が小さな波形となる。これは、呼気回路１３の管路抵抗のために、気道内圧が変化するためである。
【００５３】
コントローラ１３１は、得られた情報である気道内圧と二酸化炭素濃度とを用いて、外れ箇所が吸気回路１２であるか呼気回路１３であるかを特定する。例えば、二酸化炭素濃度が所定のスレッショルド値を下回り、且つ気道内圧の所定値以下への低下とその低下部のパルス不存在を検出して、外れ箇所が吸気回路１２であると判定する。また、二酸化炭素濃度が所定のスレッショルド値を下回り、且つ気道内圧の所定値以下の低下と低下部分に所定値以下の振幅（Ｐ−Ｐ値）のパルスを検出して、外れ箇所が呼気回路であると判定する。
【００５４】
次に、呼気回路１３のウォータートラップ４４の接続部の緩みによってガス漏れが発生している場合について説明する。図８には、二酸化炭素濃度（ａ）及び気道内圧（ｂ）の波形が示されている。各グラフの横軸は経過時間を示している。この場合、二酸化炭素濃度は、図８（ａ）に囲った円にて示すように、呼吸による矩形波が乱れて低レベルに留まった波形となっている。この二酸化炭素濃度波形のみでは、呼吸回路のいずれの箇所において不具合が生じているかまでは特定が困難である。
【００５５】
一方、気道内圧は、図８（ｂ）に囲った円にて示すように、通常状態に比べて半分程度の振幅（Ｐ−Ｐ値）を持った波形となる。コントローラ１３１は、この波形の振幅（Ｐ−Ｐ値）が所定の範囲にあり、且つ二酸化炭素濃度波形が図８（ａ）に囲った円にて示すように所定のスレッショルド値を下回っていることを検出することにより、呼気回路１３に漏れがあると判定する。
【００５６】
上記図７及び図８から理解されるように、呼気回路１３の異常時における気道内圧の振幅（Ｐ−Ｐ値）は、呼気回路１３が外れている場合が小さく、ウォータートラップ４４の接続部の緩みによってガス漏れが発生している場合が大きい。従って、上記気道内圧の振幅（Ｐ−Ｐ値）の大きさによって、異常の程度を推定することもできる。
【００５７】
上記気道内圧に換えて次のパラメータのいずれかを用いることもできる。１呼吸あたりの吸気量や呼気量、１呼吸あたりの吸気ピーク流量や呼気ピーク流量、及び肺コンプライアンス。
【００５８】
上記の第２の実施形態においては、二酸化炭素濃度と気道内圧とに基づいて、呼吸回路の外れ箇所を特定したが、二酸化炭素濃度と以下のパラメータとに基づいて、以下の情報を得ることができる。二酸化炭素濃度センサ１６によって検出される二酸化炭素濃度が異常値を示している場合、アラーム一時解除の情報に基づき、事故か意図的な操作かを判別でき、誤アラームを防止できる。
【００５９】
また、上記二酸化炭素濃度が異常値を示しているとき、肺コンプライアンスが正常で、アラームが一時解除状態でない場合、食道挿管であると推定される。上記肺コンプライアンスに換えて、１呼吸あたりの吸気量や呼気量、１呼吸あたりの吸気ピーク流量や呼気ピーク流量、及び気道内圧から肺コンプライアンスを計算して用いることもできる。
【００６０】
このように、二酸化炭素濃度センサと、当該装置の装置情報及び前記患者の生体情報の少なくとも一方とを用いて装置状態と患者状態を得ることができ、より安定した装置の運用管理や患者監視を行うことが可能である。
【符号の説明】
【００６１】
１０  人工呼吸器
１１  連絡部
１２  吸気回路
１３  呼気回路
１４  吸気弁
１５  呼気弁
１６  二酸化炭素濃度センサ
１７  排気管
１７Ａ  排気口
２１、２２  電源部
２６  圧力センサ
３１、１３１  コントローラ
Ａ  患者
【図１】
0005570853.tif 000002
【図２】
0005570853.tif 000003
【図３】
0005570853.tif 000004
【図４】
0005570853.tif 000005
【図５】
0005570853.tif 000006
【図６】
0005570853.tif 000007
【図７】
0005570853.tif 000008
【図８】
0005570853.tif 000009